(57)【要約】【課題】画像ミュート状態から復帰する際に感じる眩しさを抑制することが可能な画像表示装置及びその制御方法を提供する。【解決手段】Ａ／Ｖミュート状態が所定時間Ｔ１（１０秒）以上継続した後にミュートキーが操作された場合には、入力画像は、０．２秒刻みで段階的に明るくなっていき、約１．８秒後に本来の明るさで表示される。一方、Ａ／Ｖミュート状態の継続時間が所定時間Ｔ１に達する前にミュートキーが操作された場合には、入力画像は、即座に本来の明るさで表示される。【選択図】図２
2009003318.tif 000002
【特許請求の範囲】
【請求項１】
入力される画像情報に基づく画像を表示する表示部と、
前記表示部の表示状態を、前記画像が所定の明るさで表示される通常表示状態から、前記通常表示状態より暗い暗表示状態に切り替えるミュート部と、
前記ミュート部が前記暗表示状態に切り替えてからの継続時間を計測する計時部と、
前記表示部の表示状態を、前記暗表示状態から前記通常表示状態に復帰させるミュート復帰部と、
を備え、
前記ミュート復帰部は、前記通常表示状態に復帰させる際に、前記計時部で計測された前記継続時間が長いほど、前記表示部の表示状態を時間をかけて漸次明るくすることを特徴とする画像表示装置。
【請求項２】
請求項１に記載の画像表示装置であって、
入力される音声情報に応じた音声を出力する音声出力部をさらに備え、
前記ミュート部は、前記表示部の表示状態を前記通常表示状態から前記暗表示状態に切り替えるのに伴って、前記音声出力部の出力状態を、前記音声が所定の音量レベルで出力される通常音量状態から、前記通常音量状態よりも音量レベルが小さい小音量状態に切り替え、
前記ミュート復帰部は、前記表示部の表示状態を前記通常表示状態に復帰させるのに伴って、前記小音量状態から音量レベルを漸次増大させて前記通常音量状態に復帰させることを特徴とする画像表示装置。
【請求項３】
請求項１又は２に記載の画像表示装置であって、
前記表示部は、
光源と、
前記光源から射出された光を、前記画像情報に応じて変調して、画像光を形成する光変調装置と、
前記光変調装置で形成された前記画像光を拡大投写して、投写面に前記画像を表示する投写光学系と、
を備えることを特徴とする画像表示装置。
【請求項４】
請求項３に記載の画像表示装置であって、
前記ミュート部及び前記ミュート復帰部は、前記画像情報が表す階調を調整することによって、前記通常表示状態と前記暗表示状態とを切り替えることを特徴とする画像表示装置。
【請求項５】
入力される画像情報に応じた画像を表示する表示部を備え、前記表示部の表示状態を、前記画像が所定の明るさで表示される通常表示状態、及び前記通常表示状態より暗い暗表示状態に切り替え可能な画像表示装置の制御方法であって、
前記通常表示状態から前記暗表示状態に切り替える第１のステップと、
前記暗表示状態から前記通常表示状態に復帰させるための指示を受け付ける第２のステップと、
前記暗表示状態に切り替わってから前記指示を受けるまでの時間を計測する第３のステップと、
前記指示に応じて、前記暗表示状態から前記通常表示状態に復帰させる第４のステップと、
を備え、
前記第４のステップでは、前記通常表示状態に復帰させる際に、前記第３のステップにおいて計測された前記時間が長いほど、前記表示部の表示状態を時間をかけて漸次明るくすることを特徴とする画像表示装置の制御方法。
【発明の詳細な説明】
【技術分野】
【０００１】
本発明は、入力される画像情報に応じた画像を表示する画像表示装置及びその制御方法に関する。
【背景技術】
【０００２】
プロジェクタ等の画像表示装置において、画像の表示を一時的に停止させる画像ミュート機能を備えたものが知られている（例えば、特許文献１参照）。この画像ミュート機能は、例えば、画像を表示させながらプレゼンテーションを行っている際に、ファイルを切り替える過程を聴衆に見せたくない場合や、聴衆を発表者の説明に集中させたい場合などに利用されている。特許文献１に記載の画像表示装置では、ユーザは、ユーザインターフェイスを介して画像ミュートを指示することにより、通常の画像の代わりに黒色画像等を表示させることが可能になっている。また、ユーザは、ユーザインターフェイスを介して画像ミュートの解除を指示することにより、通常の画像が表示される状態に復帰させることができる。
【０００３】
【特許文献１】特開２００３−２８００８７号公報
【発明の開示】
【発明が解決しようとする課題】
【０００４】
しかしながら、画像ミュートの状態、即ち黒色画像が表示される状態が長く継続し、暗い環境に目が慣れてしまうと、画像ミュートが解除される際に急に明るい画像が表示され、ユーザが強い眩しさを感じてしまう場合があった。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置は、入力される画像情報に基づく画像を表示する表示部と、前記表示部の表示状態を、前記画像が所定の明るさで表示される通常表示状態から、前記通常表示状態より暗い暗表示状態に切り替えるミュート部と、前記ミュート部が前記暗表示状態に切り替えてからの継続時間を計測する計時部と、前記表示部の表示状態を、前記暗表示状態から前記通常表示状態に復帰させるミュート復帰部と、を備え、前記ミュート復帰部は、前記通常表示状態に復帰させる際に、前記計時部で計測された前記継続時間が長いほど、前記表示部の表示状態を時間をかけて漸次明るくすることを特徴とする。
【０００７】
この画像表示装置によれば、ミュート復帰部は、通常表示状態に復帰させる際に、暗表示状態が長く続いた場合ほど、表示部の表示状態をゆっくりと時間をかけて明るくするため、長時間の暗表示状態から急に明るくなることによる眩しさを抑制することが可能となる。一方、暗表示状態の継続時間が短い場合ほど、復帰に要する時間が短くなるため、復帰するまで待たされる感覚を抑制することが可能となる。
【０００８】
［適用例２］上記適用例に係る画像表示装置において、入力される音声情報に応じた音声を出力する音声出力部をさらに備え、前記ミュート部は、前記表示部の表示状態を前記通常表示状態から前記暗表示状態に切り替えるのに伴って、前記音声出力部の出力状態を、前記音声が所定の音量レベルで出力される通常音量状態から、前記通常音量状態よりも音量レベルが小さい小音量状態に切り替え、前記ミュート復帰部は、前記表示部の表示状態を前記通常表示状態に復帰させるのに伴って、前記小音量状態から音量レベルを漸次増大させて前記通常音量状態に復帰させることが望ましい。
【０００９】
この画像表示装置によれば、ミュート復帰部が、通常表示状態に復帰させるのに伴い、音量レベルをゆっくりと大きくして通常音量状態に復帰させるため、小音量状態の静かな状態から急に音量レベルが復帰することによってユーザが驚いてしまうことを抑制できる。
【００１０】
［適用例３］上記適用例に係る画像表示装置において、前記表示部は、光源と、前記光源から射出された光を、前記画像情報に応じて変調して、画像光を形成する光変調装置と、前記光変調装置で形成された前記画像光を拡大投写して、投写面に前記画像を表示する投写光学系と、を備えることが望ましい。
【００１１】
この画像表示装置は、表示部が画像光を拡大投写して投写面に画像を表示する構成であるため、暗い環境下で大画面表示を行う際に使用される場合が多い。この場合に、表示状態が急に明るくなると、ユーザは眩しさを一層感じやすくなることから、表示状態をゆっくりと明るくすることによる眩しさの抑制がより一層効果的になる。
【００１２】
［適用例４］上記適用例に係る画像表示装置において、前記ミュート部及び前記ミュート復帰部は、前記画像情報が表す階調を調整することによって、前記通常表示状態と前記暗表示状態とを切り替えることが望ましい。
【００１３】
この画像表示装置によれば、画像情報が表す階調を調整することによって、通常表示状態と暗表示状態とを切り替えるため、安定した発光状態になるまでに時間を要する光源の輝度調整を行う場合に比べて、表示状態の明るさを容易に制御することが可能となる。
【００１４】
［適用例５］本適用例に係る画像表示装置の制御方法は、入力される画像情報に応じた画像を表示する表示部を備え、前記表示部の表示状態を、前記画像が所定の明るさで表示される通常表示状態、及び前記通常表示状態より暗い暗表示状態に切り替え可能な画像表示装置の制御方法であって、前記通常表示状態から前記暗表示状態に切り替える第１のステップと、前記暗表示状態から前記通常表示状態に復帰させるための指示を受け付ける第２のステップと、前記暗表示状態に切り替わってから前記指示を受けるまでの時間を計測する第３のステップと、前記指示に応じて、前記暗表示状態から前記通常表示状態に復帰させる第４のステップと、を備え、前記第４のステップでは、前記通常表示状態に復帰させる際に、前記第３のステップにおいて計測された前記時間が長いほど、前記表示部の表示状態を時間をかけて漸次明るくすることを特徴とする。
【００１５】
この制御方法によれば、通常表示状態に復帰させる際に、暗表示状態が長く続いた場合ほど、表示部の表示状態をゆっくりと時間をかけて明るくするため、長時間の暗表示状態から急に明るくなることによる眩しさを抑制することが可能となる。一方、暗表示状態の継続時間が短い場合ほど、復帰に要する時間が短くなるため、復帰するまで待たされる感覚を抑制することが可能となる。
【００１６】
また、上述した画像表示装置及びその制御方法が画像表示装置に備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００１７】
（第１実施形態）
以下、画像表示装置の第１実施形態として、入力される画像情報に基づく画像（入力画像）を投写して、スクリーンや壁面等にこの入力画像を表示するプロジェクタについて説明する。本実施形態のプロジェクタは、ユーザの指示に応じて、入力画像の表示を一時的に停止させることが可能になっている。
【００１８】
図１は、本実施形態のプロジェクタの概略構成を示すブロック図である。
図１に示すように、プロジェクタ１は、画像投写部１０、制御部２０、記憶部２１、操作パネル２２、リモコン２３、操作信号受信部２４、画像信号入力部３１、画像処理部３２、光源制御部３３、音声信号入力部４１、音声信号処理部４２、音声出力部４３、２つのスピーカ４４Ｌ，４４Ｒ等で構成されている。
【００１９】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでおり、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する表示部として機能する。
【００２０】
光源１１は、高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２１】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２２】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。また、制御部２０には、各種制御に必要な時間の計測を行うために、計時部としてのタイマ２０ａが備えられている。
【００２３】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２４】
操作パネル２２及びリモコン２３は、ユーザからの入力操作を受け付ける入力操作部に相当するものであり、ユーザがプロジェクタ１に対して各種指示を行うための複数の操作キーを備えている。操作パネル２２及びリモコン２３が備える操作キーとしては、電源のオン・オフを切り替えるための「電源キー」、各種設定を行うためのメニュー画像を表示させる「メニューキー」、メニュー画像におけるカーソルの移動等に用いられる「カーソルキー」、画像の表示と音声の出力を一時的に停止させる「ミュートキー」、音声の音量レベルを調整するための「音量アップキー」、「音量ダウンキー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２５】
画像信号入力部３１には、ＰＣ（パーソナルコンピュータ）や映像再生装置等、図示しない外部の画像供給装置とケーブルを介した接続を行うための各種接続端子が備えられ、画像供給装置から画像情報としての画像信号が入力される。画像信号入力部３１は、入力される画像信号を、画像処理部３２で処理可能な形式の画像情報（画像データ）に変換して、この画像データを画像処理部３２に出力する。ここで、画像信号入力部３１から出力される画像データは、Ｒ，Ｇ，Ｂの色光別に生成されており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。
【００２６】
画像処理部３２は、制御部２０の指示に基づいて、画像信号入力部３１から入力される画像データに対して、明るさ、コントラスト、シャープネス、色合い等の調整や、ガンマ補正等の各種画質調整を施す。画像処理部３２で画質調整がなされた画像データは、ライトバルブ駆動部１４に出力される。
【００２７】
ライトバルブ駆動部１４が、入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像光を形成し、この画像光が投写レンズ１３からスクリーンＳＣに投写される。
【００２８】
光源制御部３３は、制御部２０の指示に基づいて、光源１１に対する電力の供給と停止とを制御し、光源１１の点灯及び消灯を切り替える。
【００２９】
音声信号入力部４１には、画像供給装置から、画像信号に付随する音声信号（音声情報）が入力される。音声信号入力部４１は、入力される音声信号を、音声信号処理部４２で処理可能な形式の音声信号に変換し、これを音声信号処理部４２に出力する。
【００３０】
音声信号処理部４２は、制御部２０の指示に基づいて、音声信号入力部４１から入力される音声信号に、その出力特性を調整するための処理（例えば、音量レベル調整処理や音質調整処理等）を施す。音声信号処理部４２で調整処理がされた音声信号は、音声出力部４３に出力される。
【００３１】
音声出力部４３は、図示しない増幅回路等を備えており、音声信号処理部４２で調整処理がなされた音声信号に基づく音声をスピーカ４４Ｌ，４４Ｒから出力する。なお、ユーザは、操作パネル２２及びリモコン２３に備わる音量アップキー及び音量ダウンキーを操作することによって、出力される音声の音量レベルを調整することができる。ユーザにより音量アップキーが操作されると、制御部２０は、音声信号処理部４２に対して音量レベルを大きくする指示を行い、音量ダウンキーが操作されると、音量レベルを小さくする指示を行う。
【００３２】
次に、プロジェクタ１の動作について説明する。
プロジェクタ１に商用電源が投入され、操作パネル２２又はリモコン２３の電源キーが操作されると、制御部２０は、記憶部２１に記憶されている制御プログラムに従った動作を開始して、各部に対して、画像の表示及び音声の出力を開始するための指示を行う。この結果、画像供給装置から入力される画像信号に応じた画像（入力画像）が画像投写部１０から投写され、画像供給装置から入力される音声信号に応じた音声がスピーカ４４Ｌ，４４Ｒから出力される。このように、入力画像が表示されて音声が出力されている状態を、本明細書では、通常状態と呼ぶ。
【００３３】
この状態で、ユーザは、操作パネル２２或いはリモコン２３に備わるミュートキーを操作することにより、入力画像の表示を一時的に停止（画像ミュート）させるとともに、音声の出力を一時的に停止（音声ミュート）させることができる。このように、入力画像の表示と音声の出力の双方が停止した状態を、本明細書では、Ａ／Ｖミュート状態と呼ぶ。ミュートキーが操作されてＡ／Ｖミュート状態となった後、ユーザが再度ミュートキーを操作すると、Ａ／Ｖミュート状態は解除されて通常状態に復帰し、入力画像の表示と音声の出力が再開する。
【００３４】
図２は、ミュートキーが操作された際のプロジェクタ１の動作を説明するためのフローチャートである。操作パネル２２或いはリモコン２３がミュートキーの操作を受け付けると、制御部２０は、図２に示すフローに従って動作する。
【００３５】
図２に示すように、ステップＳ１０１では、制御部２０は、自らが備えるフラグを参照して、現在、Ａ／Ｖミュート状態にあるか否かを判断する。この結果、Ａ／Ｖミュート状態の場合にはステップＳ１０６に移行し、Ａ／Ｖミュート状態ではない通常状態の場合にはステップＳ１０２に移行する。
【００３６】
通常状態でミュートキーが操作され、ステップＳ１０２に移行した場合には、制御部２０は、画像処理部３２に指示をして、入力画像の代わりに、黒色の無地画像を表す画像データを出力させる。画像処理部３２は、制御部２０の指示に応じて、すべての画素の光透過率が最小となるように、画像データに含まれるすべての画素値を最小値（０）に設定する。これにより、画像投写部１０から光がほとんど照射されない状態、即ち画像投写部１０がスクリーンＳＣに黒色の無地画像を表示させた状態（画像ミュート状態）となる。
【００３７】
続くステップＳ１０３では、制御部２０は、音声信号処理部４２に指示をして、入力される音声信号の代わりに、無音状態を表す音声信号を出力させることにより、音声の出力が停止した状態（音声ミュート状態）とする。この結果、入力画像の表示と音声の出力が停止したＡ／Ｖミュート状態となる。
【００３８】
ステップＳ１０４では、制御部２０は、Ａ／Ｖミュート状態の継続時間を測定するために、タイマ２０ａによる計時を開始（タイマスタート）し、ステップＳ１０５では、制御部２０は、フラグの内容を、Ａ／Ｖミュート状態であることを示す内容に書き換えて、処理を終了する。
【００３９】
一方、Ａ／Ｖミュート状態でミュートキーが操作され、ステップＳ１０６に移行した場合には、制御部２０は、ステップＳ１０４で計時を開始したタイマ２０ａを停止し、続くステップＳ１０７では、制御部２０は、タイマ２０ａの計時結果に基づいて、Ａ／Ｖミュート状態の継続時間、即ち、通常状態でミュートキーが操作されてＡ／Ｖミュート状態に移行してから、再度ミュートキーが操作されるまでの時間が、所定時間Ｔ１（本実施形態では１０秒）以上か否かを判断する。この結果、Ａ／Ｖミュート状態の継続時間が所定時間Ｔ１以上の場合には、ステップＳ１０８に移行し、所定時間Ｔ１に満たない場合には、ステップＳ１１６に移行する。
【００４０】
ステップＳ１０８〜Ｓ１１３では、制御部２０は、画像ミュート状態を解除して、入力画像の表示を再開させるための処理を行う。入力画像の表示を再開するにあたり、制御部２０は、表示再開時における入力画像の明るさの調整を画像処理部３２に指示する。
図３は、入力画像の明るさの調整を説明するための説明図であり、画像処理部３２に入力される画像データに適用すべき入出力特性を示すグラフである。
図３に示すように、本実施形態の画像処理部３２は、直線Ｌ１〜Ｌ１０で表される１０個の入出力特性のうち、いずれか１つの入出力特性を用いて画像データに含まれる画素値の調整（階調変換）を行うことが可能になっており、入力画像の明るさを１０段階で調整することができる。このうち、最も傾きが小さい直線Ｌ１で表される入出力特性を適用した場合には、調整後の画素値（出力レベル）は、調整前の画素値（入力レベル）の約１／１０になり、入力画像は、上記１０段階のうち最も暗い状態で表示される。また、次に傾きが小さい直線Ｌ２で表される入出力特性を適用した場合には、調整後の画素値は、調整前の約２／１０（約１／５）になり、以降、Ｌ３，Ｌ４，…，Ｌ１０と傾きが大きくなるにつれて、調整後の画素値は大きくなって入力画像が明るく表示されることになる。ここで、直線Ｌ１０で表される入出力特性を適用した場合には、調整前の画素値と調整後の画素値とは同じ値であり、入力画像は、階調変換を行わない場合と同一の明るさ（本来の明るさ）となるため、実際には、階調変換は行われない。
なお、ステップＳ１０２において、黒色の無地画像を表示させる際には、すべての入力レベルに対して０を出力する階調変換、即ち直線Ｌ０による階調変換を行うようにしてもよい。
【００４１】
図２に戻って、ステップＳ１０８では、制御部２０は、画像処理部３２に指示をして、入力される画像データに対して直線Ｌ１による階調変換を行わせ、上記１０段階のうち最も暗い状態で入力画像の表示を再開させる。
【００４２】
ステップＳ１０９では、制御部２０は、階調変換により入力画像の明るさが調整されてからの経過時間を測定するために、タイマ２０ａによる計時を開始（タイマスタート）し、続くステップＳ１１０では、制御部２０は、タイマ２０ａの計時結果に基づいて、入力画像の明るさが調整されてから所定時間Ｔ２（本実施形態では０．２秒）が経過したか否かを判断する。この結果、所定時間Ｔ２が経過していない場合には、当該ステップＳ１１０を繰り返し、所定時間Ｔ２が経過した場合には、ステップＳ１１１に移行して、タイマ２０ａを停止する。
【００４３】
続くステップＳ１１２では、制御部２０は、画像処理部３２に指示をして、入力画像が１段階明るくなるように、適用する入出力特性を切り替えさせる。例えば、直線Ｌ１で表される入出力特性による階調変換を行っている場合には、直線Ｌ２で表される入出力特性に切り替え、直線Ｌ２で表される入出力特性による階調変換を行っている場合には、直線Ｌ３で表される入出力特性に切り替える。また、直線Ｌ９で表される入出力特性による階調変換を行っている場合には、直線Ｌ１０で表される入出力特性、即ち階調変換を行わない状態に切り替える。
【００４４】
ステップＳ１１３では、制御部２０は、切り替え後の入出力特性が、直線Ｌ１０で表される入出力特性か否か、即ち入力画像を本来の明るさで表示する状態か否かを判断する。この結果、入力画像を本来の明るさで表示する状態である場合には、ステップＳ１１４に移行する。一方、本来の明るさよりも暗い状態である場合には、ステップＳ１０９に戻って、所定時間Ｔ２の経過後に、再び入力画像を１段階明るくする。
【００４５】
ステップＳ１１４に移行した場合には、制御部２０は、音声信号処理部４２に指示をして、入力される音声信号に応じた音声の出力を再開させ、ステップＳ１１５では、制御部２０は、フラグの内容を、通常状態であることを示す内容に書き換えて、処理を終了する。
【００４６】
一方、ステップＳ１０７において、Ａ／Ｖミュート状態の継続時間が所定時間Ｔ１未満であり、ステップＳ１１６に移行した場合には、制御部２０は、画像処理部３２に指示をして、本来の明るさで入力画像の表示を再開させる。そして、ステップＳ１１４で音声の出力を再開させ、ステップＳ１１５でフラグを書き換えた後に処理を終了する。
【００４７】
プロジェクタ１は、上記のように動作するため、Ａ／Ｖミュート状態が所定時間Ｔ１（１０秒）以上継続した後にミュートキーが操作された場合には、入力画像は、０．２秒刻みで段階的に明るくなっていき、約１．８秒後に本来の明るさで表示される。一方、Ａ／Ｖミュート状態の継続時間が所定時間Ｔ１に達する前にミュートキーが操作された場合には、入力画像は、即座に本来の明るさで表示される。
【００４８】
以上説明したように、本実施形態のプロジェクタ１によれば、以下の効果を得ることができる。
（１）本実施形態のプロジェクタ１によれば、Ａ／Ｖミュート状態が所定時間Ｔ１以上続いた場合には、入力画像を段階的に明るくして通常状態に復帰させるため、Ａ／Ｖミュート状態が長時間続いた後に、急に明るくなることによる眩しさを抑制することが可能となる。一方、Ａ／Ｖミュート状態が所定時間Ｔ１未満の場合には、即座に通常状態に復帰するため、復帰するまで待たされる感覚を抑制することが可能となる。
【００４９】
（２）本実施形態のプロジェクタ１によれば、画像データが表す階調（画素値）を調整することによって、通常状態と画像ミュート状態とを切り替えるため、安定した発光状態になるまでに時間を要する光源１１の輝度調整を行う場合に比べて、表示状態の明るさを容易に調整することが可能となる。
【００５０】
なお、本実施形態における通常状態は、入力画像が所定の明るさ（直線Ｌ１０によって表される本来の明るさ）で表示されることから、通常表示状態に相当するとともに、音声が所定の音量レベル（ユーザが音量アップキー及び音量ダウンキーによって調整した音量レベル）で出力されることから、通常音量状態にも相当する。一方、画像ミュートを行った状態、即ち、ステップＳ１０２において黒色の無地画像を表示させた状態は、通常表示状態よりも暗い暗表示状態に相当し、音声ミュートを行った状態、即ち、ステップＳ１０３において音声出力を停止させた状態は、通常音量状態よりも音量レベルが小さな小音量状態に相当する。また、ステップＳ１０２〜Ｓ１０５を実行し、黒色の無地画像を表示させて音声出力を停止させる際の制御部２０、画像処理部３２、及び音声信号処理部４２が、ミュート部に相当し、ステップＳ１０６〜Ｓ１１６を実行し、入力画像の表示と音声出力を再開させる際の制御部２０、画像処理部３２、及び音声信号処理部４２が、ミュート復帰部に相当する。
【００５１】
（第２実施形態）
以下、第２実施形態について図面を参照して説明する。本実施形態のプロジェクタ１は、Ａ／Ｖミュート状態が所定時間Ｔ１以上継続した場合、ミュートキーの操作に応じて入力画像を段階的に明るくするのに連動させて、スピーカから出力される音声についても、段階的に音量レベルを大きくして本来の音量レベル（ユーザが音量アップキー及び音量ダウンキーにより調整した音量レベル）に復帰させるようになっている。
【００５２】
音量レベルを段階的に大きくするにあたり、制御部２０は、入力画像の明るさと同様、本来の音量レベルを最大とする１０段階の音量レベルを設定し、最小の音量レベルから１段階ずつ音量レベルを上げていく。なお、制御部２０は、音声を停止させた状態を含めた１１段階の音量レベルにおいて、所定の音声を出力させた場合の音圧レベル（ｄＢ）が略等間隔になるように各音量レベルを設定する。
【００５３】
図４は、本実施形態においてミュートキーが操作された際のプロジェクタ１の動作を説明するためのフローチャートである。なお、ステップＳ１０１〜Ｓ１０７の動作については、第１実施形態と同一であるため、その説明を省略する。
【００５４】
ステップＳ１０７においてＡ／Ｖミュート状態の継続時間が所定時間Ｔ１以上であり、ステップＳ１０８に移行した場合は、制御部２０は、画像処理部３２に指示をして、入力される画像データに対して直線Ｌ１（図３参照）による階調変換を行わせ、１０段階のうち最も暗い状態で入力画像の表示を再開させる。続くステップＳ１０８ｂでは、制御部２０は、音声信号処理部４２に音量レベル調整を行わせ、１０段階のうち最も小さな音量レベルで音声の出力を再開させる。
【００５５】
ステップＳ１０９では、制御部２０は、入力画像の明るさ及び音量レベルが調整されてからの経過時間を測定するために、タイマ２０ａによる計時を開始（タイマスタート）し、続くステップＳ１１０では、制御部２０は、タイマ２０ａの計時結果に基づいて、入力画像の明るさ及び音量レベルが調整されてから所定時間Ｔ２（０．２秒）が経過したか否かを判断する。この結果、所定時間Ｔ２が経過していない場合には、当該ステップＳ１１０を繰り返し、所定時間Ｔ２が経過した場合には、ステップＳ１１１に移行して、タイマ２０ａを停止する。
【００５６】
ステップＳ１１２では、制御部２０は、画像処理部３２に指示をして、入力画像が１段階明るくなるように、適用する入出力特性を切り替えさせ、続くステップＳ１１２ｂでは、制御部２０は、音声信号処理部４２に指示をして、音量レベルが１段階大きくなるように音量レベル調整を行わせる。
【００５７】
ステップＳ１１３では、制御部２０は、ステップＳ１１２における切り替え後の入出力特性が、直線Ｌ１０で表される入出力特性か否か、即ち入力画像を本来の明るさで表示し、音声を本来の音量レベルで出力する状態か否かを判断する。この結果、本来の明るさで入力画像を表示し、本来の音量レベルで音声を出力する状態である場合には、ステップＳ１１５に移行する。一方、本来の明るさよりも暗く、本来の音量レベルよりも小さい状態である場合には、ステップＳ１０９に戻って、所定時間Ｔ２の経過後に、再び入力画像を１段階明るくするとともに、音量レベルを１段階大きくする。
【００５８】
ステップＳ１１５では、制御部２０は、フラグの内容を、通常状態であることを示す内容に書き換えて、処理を終了する。
【００５９】
一方、ステップＳ１０７において、Ａ／Ｖミュート状態の継続時間が所定時間Ｔ１未満であり、ステップＳ１１６に移行した場合には、制御部２０は、画像処理部３２に指示をして、本来の明るさで入力画像の表示を再開させる。そして、ステップＳ１１６ｂでは、本来の音量レベルで音声の出力を再開させ、ステップＳ１１５でフラグを書き換えた後に処理を終了する。
【００６０】
以上説明したように、本実施形態のプロジェクタ１によれば、Ａ／Ｖミュート状態が所定時間Ｔ１以上継続した場合、ミュートキーの操作に応じて入力画像を段階的に明るくするのに連動させて、スピーカから出力される音声についても、段階的に音量レベルを増大させるため、Ａ／Ｖミュート状態の静かな状態から急に音量レベルが復帰することによってユーザが驚いてしまうことを抑制できる。
【００６１】
（変形例）
また、前記実施形態は、以下のように変更してもよい。
前記第１及び第２実施形態では、操作パネル２２やリモコン２３に備わるミュートキーを操作することによって、通常状態とＡ／Ｖミュート状態とを切り替えるようにしているが、例えば、所謂スクリーンセイバーのように、通常状態において所定時間入力操作がなされなかった場合に、Ａ／Ｖミュート状態に移行し、なんらかの入力操作がなされた場合に、通常状態に復帰するようにしてもよい。或いは、画像信号入力部３１に対する画像信号の入力を検出する画像信号検出部を備えるようにして、画像信号の入力が途切れた場合に、Ａ／Ｖミュート状態に移行し、画像信号の入力が再開した場合に、通常状態に復帰するようにしてもよい。
【００６２】
前記第１実施形態では、本来の明るさで入力画像の表示を再開した後に、音声出力を再開するようにしているが、入力画像の表示と音声の出力とを再開するタイミングはこれに限定されず、音声出力を再開させた後に、入力画像の表示を再開させるようにしてもよい。
【００６３】
前記第１及び第２実施形態では、Ａ／Ｖミュート状態の継続時間が所定時間Ｔ１以上か否かに応じて、入力画像を徐々に明るくする態様（ステップＳ１０８〜Ｓ１１３）と、即座に明るくする態様（ステップＳ１１６）の２通りの態様を切り替えているが、Ａ／Ｖミュート状態の継続時間が長いほど、ゆっくりと時間をかけて明るくなるような構成であれば、継続時間に応じて、３通り以上の態様を切り替えるようにしてもよい。
【００６４】
前記第１及び第２実施形態では、画像処理部３２で階調変換を行うことによって、入力画像の明るさを変化させているが、明るさの調整方法はこれに限定されない。例えば、光源制御部３３が、光源１１に供給する電力を制御して光源１１の発光輝度を調整することにより、入力画像を徐々に明るくしていくようにしてもよい。
【００６５】
前記第１及び第２実施形態では、Ａ／Ｖミュート状態が所定時間Ｔ１以上継続した場合に、Ａ／Ｖミュート状態から１０段階の階調変換を経て本来の明るさに復帰させるようにしているが、段階数は１０に限られず、１０未満であっても１１以上であってもよい。或いは、明るさを連続的に変化させて、より滑らかに明るくしていくようにしてもよい。また、前記第２実施形態において、音量レベルを漸次大きくする際の段階数についても、明るさの段階数と同数（１０）である必要はなく、それ未満でもそれ以上であってもよいし、音量レベルを連続的に変化させて、より滑らかに音量レベルを大きくしていくようにしてもよい。
【００６６】
前記第１及び第２実施形態では、Ａ／Ｖミュート状態に、黒色の無地画像を表示するようにしているが、各色光において、通常状態よりも小さな画素値（光透過率を小さくする画素値）で構成される画像データを用いれば、黒色の無地画像に限定されない。また、一部に、製造メーカのロゴ等が含まれる画像であってもよい。
【００６７】
前記第１及び第２実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００６８】
前記第１及び第２実施形態では、光源１１は、放電型の光源ランプ１１ａによって構成されているが、ＬＥＤ（Light Emitting Diode：発光ダイオード）光源等の固体光源や、その他の光源を用いることもできる。
【００６９】
前記第１及び第２実施形態では、画像表示装置として、光源１１から射出された光を変調して投写するプロジェクタ１を例にして説明しているが、透過型のスクリーンを一体的に備えたリアプロジェクタ、或いは、液晶ディスプレイ、プラズマディスプレイ、ＳＥＤ（Surface-conduction Electron-emitter Display）、有機ＥＬ（Electro Luminescence）ディスプレイ等に適用することも可能である。ただし、これらの画像表示装置の中で、プロジェクタは、暗い環境下で大画面表示を行う際に使用されることが多く、この状況で表示状態が急に明るくなると、ユーザは、眩しさを一層感じやすくなる。このため、プロジェクタに適用した場合には、表示状態を徐々に明るくすることによる眩しさの抑制がより一層効果的になる。
【図面の簡単な説明】
【００７０】
【図１】第１実施形態のプロジェクタの概略構成を示すブロック図。
【図２】第１実施形態においてミュートキーが操作された際のプロジェクタの動作を説明するためのフローチャート。
【図３】入力画像の明るさの調整を説明するための説明図であり、画像処理部に入力される画像データに適用すべき入出力特性を示すグラフ。
【図４】第２実施形態においてミュートキーが操作された際のプロジェクタの動作を説明するためのフローチャート。
【符号の説明】
【００７１】
１…プロジェクタ、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２０ａ…タイマ、２１…記憶部、２２…操作パネル、２３…リモコン、２４…操作信号受信部、３１…画像信号入力部、３２…画像処理部、３３…光源制御部、４１…音声信号入力部、４２…音声信号処理部、４３…音声出力部、４４Ｌ，４４Ｒ…スピーカ、ＳＣ…スクリーン。
【図１】
2009003318.tif 000003
【図２】
2009003318.tif 000004
【図３】
2009003318.tif 000005
【図４】
2009003318.tif 000006